(57)【要約】【課題】  エンジン潤滑油等の油性汚染物、または小規模な施工にも効率的な油分浄化装置およびそれを用いた汚染地層浄化工法の提供。【解決手段】  油性汚染物１４を含む汚染地層１中に、高圧洗浄水２を圧入する圧入井戸３と、圧入井戸３から高圧洗浄水２を噴射する噴射ノズル１２ａ〜１２ｇと、噴射された高圧洗浄水２が汚染地層１を撹拌・洗浄することにより油性汚染物１４の混入した油水混濁液１０を負圧で吸引しながら回収するバキュームウェル４と、その地下水面Ｗの近傍で縁部が水平で上向きに開口した吸入口６と、そこから吸入する油水混濁液１０を地上へ汲み上げ可能な汲上手段９０と、地下水面Ｗを被覆する油性汚染物１４からなる油層８中に浸って液面の変動に追随するフロート１６と、その上下動作に連動することにより吸入口６の深さＤを地下水面Ｗの直近に維持する吸入口深さ調整手段３０と、を備えた。【選択図】      図１
2006334571.tif 000002
【特許請求の範囲】
【請求項１】
油性汚染物（１４）を含む汚染地層（１）中に、高圧洗浄水（２）を圧入する圧入井戸（３）と、
前記圧入井戸（３）から前記高圧洗浄水（２）を噴射する噴射ノズル（１２ａ〜１２ｇ）と、
噴射された前記高圧洗浄水（２）が前記汚染地層（１）を撹拌・洗浄することにより油性汚染物（１４）の混入した油水混濁液（１０）を負圧で吸引しながら回収するバキュームウェル（４）と、
前記バキュームウェル（４）の地下水面（Ｗ）の近傍で縁部が水平で上向きに開口した吸入口（６）と、
前記吸入口（６）から吸入する前記油水混濁液（１０）を地上へ汲み上げ可能な汲上手段（９０）と、
前記地下水面（Ｗ）を被覆する前記油性汚染物（１４）からなる油層（８）中に浸って液面の変動に追随するフロート（１６）と、
前記フロート（１６）の上下動作に連動することにより前記吸入口（６）の深さ（Ｄ）を前記地下水面（Ｗ）の直近に維持する吸入口深さ調整手段（３０）と、を備えたことを特徴とする浮上式油分浄化装置（１００）。
【請求項２】
前記吸入口深さ調整手段（３０）として、
前記バキュームウェル（４）内に開口する前記吸入口（６）をＪ字端末（Ｊ）とし、
前記Ｊ字端末（Ｊ）に嵌合して垂直方向に摺動自在の摺動筒（３１）を備えたことを特徴とする請求項１に記載の浮上式油分浄化装置（１００）。
【請求項３】
請求項１または請求項２に記載の浮上式油分浄化装置（１００）を用いた汚染地層浄化工法であって、
前記高圧洗浄水（２）を噴射ノズル（１２ａ〜１２ｇ）から噴射することにより前記汚染地層（１）を撹拌・洗浄する噴射工程（Ｓ１）、
前記汲上手段（９０）への負圧付与を停止した状態で前記バキュームウェル（４）全体に負圧を付与して油水混濁液（１０）を抽出する抽出工程（Ｓ２）、
前記バキュームウェル（４）全体への負圧付与を停止し、前記汲上手段（９０）のみに負圧吸引力を作用させて前記油水混濁液（１０）を地上へ汲み上げる汲上工程（Ｓ３）、
前記汲上工程（Ｓ３）と前記抽出工程（Ｓ２）を交互に繰り返す間欠工程（Ｓ４）、の各工程を含むことを特徴とする汚染地層浄化工法。
【発明の詳細な説明】
【技術分野】
【０００１】
本発明は、油性汚染物質により汚染された地層を原位置で浄化する装置およびその方法に関する。
【背景技術】
【０００２】
原位置での汚染地層浄化工法として、汚染物質含有土を大規模に掘削および埋め戻したりする必要がなく、低コストで浄化処理を可能にする技術がある。
【０００３】
具体的には、削孔した汚染地層へ超高圧噴射水を噴射させる噴射孔と、外周に多数の穴を穿孔したパイプを前記噴射孔の周辺に打設し前記汚染地層を洗浄した汚染洗浄液を吸い上げるウエルポイントと、前記噴射孔に挿入される超高圧噴射水噴射用のロッドと、前記ロッドの先端の近傍で前記超高圧噴射水を噴射する超高圧噴射ノズルと、１００ＭＰａから４００ＭＰａまでの範囲の超高圧噴射水を前記ロッドに圧入可能な噴射ポンプと、を備えた汚染地層浄化装置において、前記ウエルポイントは前記噴射孔の周囲に前記汚染地層の面積に比例した打設本数を配置し前記汚染地層より深く打設されていることを特徴とする汚染地層洗浄システムおよびそれを用いた洗浄工法（例えば、特許文献１を参照）の実績が高く評価されていた。
【特許文献１】特許第３５６７４３５号公報（特許請求の範囲、第１図）
【発明の開示】
【発明が解決しようとする課題】
【０００４】
しかしながら、特許文献１に示された汚染地層洗浄システムおよびそれを用いた洗浄工法は、例えば、機械類を製造する広大な工場跡地を集合住宅に転換利用する際、主にＶＯＣｓおよび重金属類による大規模な汚染地層を数ヶ月の施工期間に及んで浄化することを想定し、最高の施工品質と費用対効果が得られるようにシステム構成されているため、想定外であるエンジン潤滑油等の油性汚染物、または小規模な施工には必ずしも効率的ではなかった。
【０００５】
なぜならば、第１に小規模かつ短期間の施工において、スペースと採算性の問題から大規模プラントは適さず、高精度で無駄のないコンパクトな装置が求められており、しかも、回収汚泥や廃液等も最小限の容積に濃縮することが必要である。
【０００６】
第２に、前記工場跡地と違って、例えばガソリンスタンドや自動車整備工場等の跡地の場合、汚染物質の成分が高粘性のエンジン潤滑油のみであることが多く、施工品質と効率の点から、専用の装置が望まれているという課題があった。
【０００７】
そこで、本発明は、前記課題を解決するため、高粘性のエンジン潤滑油等を、高精度で無駄のないコンパクトな装置で、回収汚泥や廃液等が最小限の容積に濃縮され、短期間の施工で完了することのできる浮上式油分浄化装置およびそれを用いた汚染地層浄化工法を提供することを目的とする。
【課題を解決するための手段】
【０００８】
請求項１に係る発明は、油性汚染物（１４）を含む汚染地層（１）中に、高圧洗浄水（２）を圧入する圧入井戸（３）と、前記圧入井戸（３）から前記高圧洗浄水（２）を噴射する噴射ノズル（１２ａ〜１２ｇ）と、噴射された前記高圧洗浄水（２）が前記汚染地層（１）を撹拌・洗浄することにより油性汚染物（１４）の混入した油水混濁液（１０）を負圧で吸引しながら回収するバキュームウェル（４）と、前記バキュームウェル（４）の地下水面（Ｗ）の近傍で縁部が水平で上向きに開口した吸入口（６）と、前記吸入口（６）から吸入する前記油水混濁液（１０）を地上へ汲み上げ可能な汲上手段（９０）と、前記地下水面（Ｗ）を被覆する前記油性汚染物（１４）からなる油層（８）中に浸って液面の変動に追随するフロート（１６）と、前記フロート（１６）の上下動作に連動することにより前記吸入口（６）の深さ（Ｄ）を前記地下水面（Ｗ）の直近に維持する吸入口深さ調整手段（３０）と、を備えたことを特徴とする浮上式油分浄化装置（１００）である。
【０００９】
請求項１に係る発明の作用は以下のとおりである。
まず、負圧の吸引によりバキュームウェル（４）内に抽出された油水混濁液（１０）に混入する油性汚染物（１４）は、地下水面（Ｗ）の表層を油層（８）の状態で被覆している。
この地下水面（Ｗ）の近傍で縁部が水平で上向きに開口した吸入口（６）は、地下水面（Ｗ）に浮かぶ油層（８）に浸っており、しかも、その吸入口（６）は吸入口深さ調整手段（３０）、すなわち、液面の変動に追随するフロート（１６）の作用により、吸入口（６）が油層（８）に接近して開口した状態を維持できる。
このため、油水混濁液（１０）の中でも比重が軽くて地下水面（Ｗ）に浮かぶ油層（８）の状態でまとまった油性汚染物（１４）のみを効率よく選別して吸入できる。
したがって、バキュームウェル（４）内の油水混濁液（１０）の中から、高濃度の油性汚染物（１４）を多く含んで、汲上手段（９０）の井戸側の端末である吸入口（６）から吸入して地上へ効率よく汲み上げることが可能である。
【００１０】
請求項２に係る発明は、前記吸入口深さ調整手段（３０）として、前記バキュームウェル（４）内に開口する前記吸入口（６）をＪ字端末（Ｊ）とし、前記Ｊ字端末（Ｊ）に嵌合して垂直方向に摺動自在の摺動筒（３１）を備えたことを特徴とする請求項１に記載の浮上式油分浄化装置（１００）である。
【００１１】
請求項２に係る発明によれば、汲上手段（９０）の井戸側の端末である吸入口（６）はＪ字端末（Ｊ）であり、そのＪ字端末（Ｊ）に嵌合して垂直方向に摺動自在の摺動筒（３１）が、フロート（１６）の作用により液面の変動に追随するので、吸入口深さ調整手段（３０）として良好に機能する。
【００１２】
請求項３に係る発明は、請求項１または請求項２に記載の浮上式油分浄化装置（１００）を用いた汚染地層浄化工法であって、前記高圧洗浄水（２）を噴射ノズル（１２ａ〜１２ｇ）から噴射することにより前記汚染地層（１）を撹拌・洗浄する噴射工程（Ｓ１）、前記汲上手段（９０）への負圧付与を停止した状態で前記バキュームウェル（４）全体に負圧を付与して油水混濁液（１０）を抽出する抽出工程（Ｓ２）、前記バキュームウェル（４）全体への負圧付与を停止し、前記汲上手段（９０）のみに負圧吸引力を作用させて前記油水混濁液（１０）を地上へ汲み上げる汲上工程（Ｓ３）、前記汲上工程（Ｓ３）と前記抽出工程（Ｓ２）を交互に繰り返す間欠工程（Ｓ４）、の各工程を含むことを特徴とする汚染地層浄化工法である。
【００１３】
請求項３に係る発明では、噴射工程（Ｓ１）および抽出工程（Ｓ２）を実行することにより、バキュームウェル（４）全体に負圧が付与されることによって、その井戸底に汚染地層（１）から抽出された油水混濁液（１０）が溜まる。
【００１４】
溜まった油水混濁液（１０）を地上へ汲み上げる汲上工程（Ｓ３）では、地上の大気圧に勝る圧力を地下の油水混濁液（１０）に付与して押し上げる「押上方法」と、バキュームウェル（４）全体に付与された負圧に勝る強い負圧吸引力で地上から吸い上げる「吸上方法」の二者択一ができる。
【００１５】
ここで、前記「押上方法」を採用した場合は、大気圧に勝る正の圧力を地下の油水混濁液（１０）に付与することと、バキュームウェル（４）に対して負圧を付与することが相反し、正圧と負圧が相殺するので、油水混濁液（１０）を地上へ汲み上げる効果が阻害される。
【００１６】
一方、前記「吸上方法」を採用した場合は、汚染地層（１）から油水混濁液（１０）を取り込むためバキュームウェル（４）全体に付与される負圧に対し、井戸底に取り込まれた油水混濁液（１０）を地上まで吸い上げる負圧吸引力の方が格段に強力でなければ、吸い上げることはできない。
【００１７】
このように、前記「押上方法」と前記「吸上方法」のいずれを採用しても、バキュームウェル（４）への負圧付与は油水混濁液（１０）を地上へ汲み上げる動作を阻害するので、これを停止し、かつ、汲上手段（９０）のみに負圧吸引力を作用させることにより汲上工程（Ｓ３）の効率を高めることが可能となる。
【００１８】
なお、汲上工程（Ｓ３）を実行する際は、バキュームウェル（４）全体への負圧付与が停止されているため、汚染地層（１）から油水混濁液（１０）を抽出する抽出工程（Ｓ２）は中断される。
【００１９】
これら、抽出工程（Ｓ２）と汲上工程（Ｓ３）を交互に繰り返す間欠工程（Ｓ４）を実行することにより汚染地層の浄化効率を高く維持しながら完了する。
【発明の効果】
【００２０】
請求項１に係る発明によれば、バキュームウェル内の油水混濁液から地下水面に浮かぶ油層の状態でまとまった油性汚染物のみを選別し、高濃度の油性汚染物を多く含んだ油水混濁液を地上へ効率よく汲み上げることが可能である。
【００２１】
請求項２に係る発明によれば、液面変動に追随する吸入口深さ調整手段が良好に機能する。
【００２２】
請求項３に係る発明によれば、汲上工程と抽出工程は同時に実行すると相殺または減殺する関係にあるので、片方ずつ交互に繰り返す間欠工程を実行することにより汚染地層の浄化効率を高く維持できる。
【発明を実施するための最良の形態】
【００２３】
以下、本発明に係る実施形態である浮上式油分浄化装置（以下、「浮上式油分浄化装置」という）の構成および動作を併せて説明する。図１は浮上式油分浄化装置１００の概要図であり、汚染地層１の中心に掘削した圧入井戸３と、その圧入井戸３を取り囲むように複数の本数（図３参照）を掘削してバキュームウェル４を設けている。
【００２４】
バキュームウェル４には抽出管９が挿入され、その抽出管９の上端部の配管を介して真空ポンプ１７が接続され、バキュームウェル４の内部を負圧に維持できる。また、汲上手段９０により、バキュームウェル４の井戸底に溜まっている油水混濁液１０を地上の比重差分離器４０まで確実に汲み上げることができるように構成されている。
【００２５】
このように汲み上げられた油水混濁液１０には、主にエンジン潤滑油等、高粘性の油性汚染物１４が含まれており、この油水混濁液１０を比重差分離器４０により、油性汚染物１４と無害な水分を分離して無害化処理するように構成されているため、浮上式油分浄化装置１００により汚染地層１を浄化できるのである。
【００２６】
汲上手段９０は、バキュームウェル４の井戸底に溜まった地下水面Ｗの直下で上向きに開口したＪ字端末Ｊに連通する回収管１８ａ，１８ｂを経由した油水混濁液１０が油水回収ポンプ５０に吸入され、この油水回収ポンプ５０から吐出されると回収管１８ｃを経由して比重差分離器４０へ送り込まれるように構成されている。
【００２７】
比重差分離器４０へ送り込まれた油水混濁液１０のうち、水分を除去して小容量に濃縮された油性汚染物１４だけを回収管１８ｄから吐出して廃油容器４１で一時保管する一方、除去された処理水２０は噴射ポンプ７に戻して圧入井戸３へ再注入するように構成されている。なお、浮上式油分浄化装置１００の運転に伴なって、油水混濁液１０に含まれるスラッジ４４が比重差分離器４０の底部に溜まるので、スクリューコンベア４２により掻き出してスラッジ容器４３で一時保管する。
【００２８】
そして、図１からは省略して図３のみに示すように地表ＧＬにはコンクリート被覆７０を施すことにより、気密状態を維持している。また、噴射ポンプ７により圧入井戸３へ注入された高圧洗浄水２は噴射ノズル１２ａ〜１２ｇから汚染地層１へ噴射されるが、その噴射圧力および注入水量は、適宜加減できるように構成されている。
【００２９】
図２は吸入口深さ調整手段の要部断面図であり、図１における２点破線の丸囲い部分を拡大し、（ａ）は高水位状態、（ｂ）は低水位状態を示している。図２に示すＪ字端末Ｊの吸入口６は、バキュームウェル４の井戸底に溜まった地下水面Ｗの直下で上向きに開口し、そのＪ字端末Ｊには上下方向に摺動自在の摺動筒３１が嵌装され、摺動筒３１はフロート１６の上下動作に連動することにより、吸入口６の深さＤを地下水面Ｗの直近に維持する吸入深さ調整手段３０が構成されている。
【００３０】
吸入口６の縁部は、バキュームウェル４の地下水面Ｗの近傍で水平かつ上向きに開口している。この吸入口６から吸入する油水混濁液１０を汲上手段９０により地上へ汲み上げることが可能である。ここで、地下水面Ｗにフロート１６が摺動筒３１とともに浮いているので、この地下水面Ｗを被覆する油性汚染物１４からなる油層８中に浸って液面の変動に摺動筒３１も追随する。
【００３１】
ここで、吸入口６が汚染地層１の地下水面Ｗより僅かに下がった深さＤに保持され、吸入口６が油性汚染物１４に接近して開口している状態を保持すれば、水よりも比重が軽くて浮かぶ性質の油性汚染物１４のみを効率良く抽出することが可能である。
【００３２】
まず、地下水面Ｗが深さＤで図２（ａ）に示す高水位状態の場合、油層８中に浸って液面の変動に追随する摺動筒３１は、吸入口６が油層８の下面に接近して上向きに開口しているので、地下水面Ｗを被覆する油性汚染物１４を高濃度で吸入した油水混濁液１０をＪ字端末Ｊから地上の比重差分離器４０へと送り出すことができる。
【００３３】
つぎに、地下水面Ｗが深さＤ′で図２（ｂ）に示す低水位状態の場合、低下した液面の変動に追随する摺動筒３１は、同様に吸入口６が油層８の下面に接近して上向きに開口しているので、地下水面Ｗを被覆する油性汚染物１４を高濃度で吸入した油水混濁液１０をＪ字端末Ｊから地上の比重差分離器４０へと送り出すことができる。
【００３４】
このような吸入深さ調整手段３０の作用により、不必要に空気や水を吸わずに油性汚染物１４の全部がなくなるまで高濃度で吸入することが可能となっている。つまり、水に浮いた油層８の下面より僅かに下がった深さＤに、吸入口６の深さを一致させるように、吸入口深さ調整機構３０により自動調整すれば、汚染地層１から高濃度の油性汚染物１４のみを短時間で吸い出せるので、効率良く油性汚染物１４を回収することが可能となる。その結果、処理を必要とする油水混濁廃液１０を少ない容積に抑制しながら浄化を完了させることが可能となる。
【００３５】
図３は井戸の説明図であり、（ａ）は平面配置図、（ｂ）は（ａ）におけるＡ−Ａ線縦断面図、（ｃ）はバキュームウェル１本の縦断面図である。なお、図中のｍｍ寸法は良好な結果を得た実施例を示したに過ぎない。
図３（ａ）に示すようにバキュームウェル４，４の各井戸は、一辺が４ｍの正方形の四隅に配置され、それらを対角線で結んだ中心に圧入井戸３が掘削されている。
【００３６】
バキュームウェル４，４には、各１本につき１本の抽出管９が挿入されている。抽出管９は、その内径が約１０〜５０ｃｍ（２５ｃｍで実施）であり、相互の縦横間隔１〜６ｍで碁盤目状に配置し、汚染地層を洗浄した油水混濁液１０（図１参照）を吸い上げる。
【００３７】
図３（ａ）に示すように圧入井戸３は噴射孔５として用いるため、図３（ｂ）に示す圧入ロッド１１が汚染地層１の核心またはその近傍を狙って適切な深さに挿入可能で、圧入ロッド１１の上端近傍には図示せぬスイーベルが配設され、このスイーベルは圧入ロッド１１をＲで示すきりもみ回転を自在にして支承し、この圧入ロッド１１内へ高圧洗浄水２を圧入可能である。圧入ロッド１１の周辺には噴射ノズル１２ａ〜１２ｇが軸直角方向に開口している。この圧入ロッド１１を先端から汚染地層１中に差し込めばスイーベルから圧入する高圧洗浄水２を汚染地層１中へ噴射することが可能である。
【００３８】
図３（ｃ）に示すように抽出管９の中高部と底部近傍の外周はスリットが穿孔されていない無孔管部９２であり、特に底部近傍は砂溜９４と呼ばれている。また、抽出管９の中低部の外周にスリットが穿孔されたスクリーン管部９１を通して、周囲の汚染地層１から高圧洗浄水２に希釈された油水混濁液１０（図１参照）が抽出管９へ流入する。なお、抽出管９の地下部分の外周を取り巻くようにフィルターサンド９３が埋設されている。
【００３９】
また、対象地の地表ＧＬ面には密閉するためのコンクリート被覆７０を施し、抽出管９の上端部のみを突出し比重差分離器４０へと配管接続（図１参照）されている。
【００４０】
図４は汚染地層浄化工法の工程を示すフローチャートであり、汚染地層浄化は高圧洗浄水２を噴射ノズル１２ａ〜１２ｇから噴射孔５から汚染地層１内へ噴射して、その汚染地層１を撹拌・洗浄する噴射工程（Ｓ１）がＯＮされることにより開始される。ただし、バキュームウェル４の地下水面Ｗが高くなり過ぎないように噴射工程（Ｓ１）をＯＮ−ＯＦＦ制御する。なお、地下水面Ｗは図示せぬ水位センサまたは監視カメラで監視して制御に反映させる。
【００４１】
噴射工程（Ｓ１）ＯＮに伴って抽出工程（Ｓ２）も実行するが、バキュームウェル４全体に負圧を付与して油水混濁液１０を抽出する抽出工程（Ｓ２）ＯＮのタイミングでは、汲上手段９０に負圧吸引力を作用させて油水混濁液１０を地上へ汲み上げる汲上工程（Ｓ３）をＯＦＦしておく。そうすると、バキュームウェル４の全体に負圧が付与されて、その井戸底に汚染地層１から抽出された油水混濁液１０が溜まる。
【００４２】
つぎに、抽出工程（Ｓ２）ＯＦＦのタイミングで汲上工程（Ｓ３）ＯＮする。そうすると、バキュームウェル４の全体への負圧付与が停止されて、その井戸底に溜まった油水混濁液１０が地上へ汲み上げられる。このように、汲上工程（Ｓ３）を実行する際は、バキュームウェル４全体への負圧付与が停止されているため、汚染地層１から油水混濁液１０を抽出する抽出工程（Ｓ２）は中断される。
【００４３】
もし、抽出工程（Ｓ２）ＯＮのタイミングで同時に汲上工程（Ｓ３）ＯＮとしたならば、汚染地層１から油水混濁液１０を取り込むためバキュームウェル４全体に付与される負圧に対し、井戸底に取り込まれた油水混濁液１０を地上まで吸い上げる負圧吸引力の方が格段に強力でなければ、回収することはできない。つまり、汲上工程（Ｓ３）と抽出工程（Ｓ２）は同時に実行すると相殺または減殺する関係にあるので、片方ずつ交互に繰り返す間欠工程を実行することにより汚染地層の浄化効率を高く維持できる。
【００４４】
このようなわけで、バキュームウェル４全体への負圧付与は、油水混濁液１０を地上へ汲み上げる動作を阻害し引き戻そうとするので、これを停止し、かつ、汲上手段９０のみに負圧吸引力を作用させることにより汲上工程（Ｓ３）の効率を高めることが可能となる。
【００４５】
これら、抽出工程（Ｓ２）と汲上工程（Ｓ３）を交互に繰り返す間欠工程（Ｓ４）を実行することにより汚染地層の浄化効率を高く維持しながら完了することが可能となる。
【００４６】
以上のようにコンパクトな浮上式油分浄化装置１００を用いて、汚染地層１に対する浄化を実施すれば、ガソリンスタンドや自動車整備工場の小規模な跡地に残存するエンジン潤滑油等の油性汚染物１４を短時間で完全に回収できる。しかも、図１に示す廃油容器４１に回収された油性汚染物１４は高度に濃縮されているので小容積であり、搬出および処理費用が安上がりである。なお、処理水２０を浄化した結果、公定検査に合格すれば、原位置または下水等に流して簡単に処理することができる。
【図面の簡単な説明】
【００４７】
【図１】浮上式油分浄化装置の概要図である。
【図２】吸入口深さ調整手段の要部断面図であり図１における２点破線の丸囲い部分を拡大し、（ａ）高水位状態、（ｂ）低水位状態を示している。
【図３】井戸の説明図であり、（ａ）は平面配置図、（ｂ）は（ａ）におけるＡ−Ａ線縦断面図、（ｃ）はバキュームウェル１本の縦断面図である。
【図４】汚染地層浄化工法の工程を示すフローチャートである。
【符号の説明】
【００４８】
１      汚染地層
２      高圧洗浄水
３      圧入井戸
４      バキュームウェル
５      噴射孔
６      吸入口
７      噴射ポンプ
８      油層
９      抽出管
１０    油水混濁液
１１    圧入ロッド
１２，１２ａ〜１２ｇ  噴射ノズル
１４    油性汚染物
１６    フロート
１７    真空ポンプ
１８，１８ａ〜１８ｄ  回収管
１９    注水管
２０    処理水
３０    吸入口深さ調整手段
３１    伸縮筒
４０    比重差分離器
４１    廃油容器
４２    スクリューコンベア
４３    スラッジ容器
４４    スラッジ
５０    油水回収ポンプ
７０    コンクリート被覆
９０    汲上手段
９１    スクリーン管部
９２    無孔管部
９３    フィルターサンド
９４    砂溜まり
１００  浮上式油分浄化装置
Ｄ，Ｄ′  （吸入口の）深さ
Ｊ      Ｊ字端末
Ｒ      圧入ロッドの回転方向
ＧＬ    地表
Ｗ      地下水面
【図１】
2006334571.tif 000003
【図２】
2006334571.tif 000004
【図３】
2006334571.tif 000005
【図４】
2006334571.tif 000006
【手続補正書】
【提出日】平成17年9月14日(2005.9.14)
【手続補正１】
【補正対象書類名】特許請求の範囲
【補正対象項目名】請求項１
【補正方法】変更
【補正の内容】
【請求項１】
油性汚染物（１４）を含む汚染地層（１）中に、高圧洗浄水（２）を圧入する圧入井戸（３）と、
前記圧入井戸（３）へ前記高圧洗浄水（２）を注入する噴射ポンプ（７）と、
前記圧入井戸（３）から前記高圧洗浄水（２）を噴射する噴射ノズル（１２ａ〜１２ｇ）と、
噴射された前記高圧洗浄水（２）が前記汚染地層（１）を撹拌・洗浄することにより油性汚染物（１４）の混入した油水混濁液（１０）を負圧で吸引しながら回収するバキュームウェル（４）と、
前記バキュームウェル（４）に挿入された抽出管（９）を介して接続され前記バキュームウェル（４）の内部を負圧に維持できる真空ポンプ（１７）と、
対象地の地表（ＧＬ）面を密閉するコンクリート被覆（７０）と、
前記バキュームウェル（４）の地下水面（Ｗ）の近傍で縁部が水平で上向きに開口した吸入口（６）と、
前記吸入口（６）から吸入する前記油水混濁液（１０）を地上へ汲み上げ可能な汲上手段（９０）と、
前記汲上手段（９０）により汲み上げられた油水混濁液（１０）を油性汚染物（１４）と無害な水分を分離して無害化処理する比重差分離器（４０）と、
前記地下水面（Ｗ）を被覆する前記油性汚染物（１４）からなる油層（８）中に浸って液面の変動に追随するフロート（１６）と、
前記フロート（１６）の上下動作に連動することにより前記吸入口（６）の深さ（Ｄ）を前記地下水面（Ｗ）の直近に維持する吸入口深さ調整手段（３０）と、を備え、
前記比重差分離器（４０）へ送り込まれた前記油水混濁液（１０）のうち、水分を除去して小容量に濃縮された前記油性汚染物（１４）だけを一時保管する一方、除去された処理水（２０）は噴射ポンプ（７）に戻して圧入井戸（３）へ再注入するように構成したことを特徴とする浮上式油分浄化装置（１００）。
【手続補正２】
【補正対象書類名】明細書
【補正対象項目名】０００８
【補正方法】変更
【補正の内容】
【０００８】
請求項１に係る発明は、油性汚染物（１４）を含む汚染地層（１）中に、高圧洗浄水（２）を圧入する圧入井戸（３）と、前記圧入井戸（３）へ前記高圧洗浄水（２）を注入する噴射ポンプ（７）と、前記圧入井戸（３）から前記高圧洗浄水（２）を噴射する噴射ノズル（１２ａ〜１２ｇ）と、噴射された前記高圧洗浄水（２）が前記汚染地層（１）を撹拌・洗浄することにより油性汚染物（１４）の混入した油水混濁液（１０）を負圧で吸引しながら回収するバキュームウェル（４）と、前記バキュームウェル（４）に挿入された抽出管（９）を介して接続され前記バキュームウェル（４）の内部を負圧に維持できる真空ポンプ（１７）と、対象地の地表（ＧＬ）面を密閉するコンクリート被覆（７０）と、前記バキュームウェル（４）の地下水面（Ｗ）の近傍で縁部が水平で上向きに開口した吸入口（６）と、前記吸入口（６）から吸入する前記油水混濁液（１０）を地上へ汲み上げ可能な汲上手段（９０）と、前記汲上手段（９０）により汲み上げられた油水混濁液（１０）を油性汚染物（１４）と無害な水分を分離して無害化処理する比重差分離器（４０）と、前記地下水面（Ｗ）を被覆する前記油性汚染物（１４）からなる油層（８）中に浸って液面の変動に追随するフロート（１６）と、前記フロート（１６）の上下動作に連動することにより前記吸入口（６）の深さ（Ｄ）を前記地下水面（Ｗ）の直近に維持する吸入口深さ調整手段（３０）と、を備え、前記比重差分離器（４０）へ送り込まれた前記油水混濁液（１０）のうち、水分を除去して小容量に濃縮された前記油性汚染物（１４）だけを一時保管する一方、除去された処理水（２０）は噴射ポンプ（７）に戻して圧入井戸（３）へ再注入するように構成したことを特徴とする浮上式油分浄化装置（１００）である。
【手続補正３】
【補正対象書類名】明細書
【補正対象項目名】０００９
【補正方法】変更
【補正の内容】
【０００９】
請求項１に係る発明の作用は以下のとおりである。
圧入井戸（３）へ噴射ポンプ（７）により高圧洗浄水（２）を注入すると、噴射ノズル（１２ａ〜１２ｇ）から噴射された高圧洗浄水（２）が汚染地層（１）を撹拌・洗浄する。
また、対象地の地表（ＧＬ）面はコンクリート被覆（７０）により密閉されており、バキュームウェル（４）に挿入された抽出管（９）を介して接続された真空ポンプ（１７）で吸引し、バキュームウェル（４）内を負圧に保つことにより、周囲の汚染地層（１）から高圧洗浄水（２）に希釈され油性汚染物（１４）の混入した油水混濁液（１０）は抽出管（９）へ流入する。
つまり、バキュームウェル（４）は圧入井戸（３）から高圧洗浄水（２）を負圧で吸引しながら回収する。
この負圧の吸引によりバキュームウェル（４）内に抽出された油水混濁液（１０）に混入する油性汚染物（１４）は、地下水面（Ｗ）の表層を油層（８）の状態で被覆している。
この地下水面（Ｗ）の近傍で縁部が水平で上向きに開口した吸入口（６）は、地下水面（Ｗ）に浮かぶ油層（８）に浸っており、しかも、その吸入口（６）は吸入口深さ調整手段（３０）、すなわち、液面の変動に追随するフロート（１６）の作用により、吸入口（６）が油層（８）に接近して開口した状態を維持できる。
このため、油水混濁液（１０）の中でも比重が軽くて地下水面（Ｗ）に浮かぶ油層（８）の状態でまとまった油性汚染物（１４）のみを効率よく選別して吸入できる。
したがって、バキュームウェル（４）内の油水混濁液（１０）の中から、高濃度の油性汚染物（１４）を多く含んで、汲上手段（９０）の井戸側の端末である吸入口（６）から吸入して地上へ効率よく汲み上げることが可能である。
このようにバキュームウェル（４）の抽出管（９）内に抽出された油水混濁液（１０）は、抽出管（９）から比重差分離器（４０）へと配管接続されている汲上手段（９０）により比重差分離器（４０）まで汲み上げられ、油性汚染物（１４）と無害な水分に分離して無害化処理される。
このとき、比重差分離器（４０）へ送り込まれた油水混濁液（１０）のうち、水分を除去して小容量に濃縮された油性汚染物（１４）だけを一時保管する一方、除去された処理水（２０）は噴射ポンプ（７）に戻して圧入井戸（３）へ再注入される。
一時保管され回収された油性汚染物（１４）は高度に濃縮されているので小容積であり、搬出および処理費用が安上がりである一方、処理水（２０）は原位置または下水等に流して簡単に処理することもできる。
【手続補正４】
【補正対象書類名】明細書
【補正対象項目名】００２０
【補正方法】変更
【補正の内容】
【００２０】
請求項１に係る発明によれば、第１に、スペースと採算性の問題から大規模プラントが適さないような、小規模かつ短期間の施工における高精度で無駄のないコンパクトな装置、しかも、回収汚泥や廃液等も最小限の容積に濃縮することが可能な装置を提供できる。
すなわち、一時保管され回収された油性汚染物は高度に濃縮されているので小容積であり、搬出および処理費用が安上がりである一方、油水混濁液を無害化処理した処理水は原位置または下水等に流して簡単に処理することもできる。
第２に、例えばガソリンスタンドや自動車整備工場等、汚染物質の成分が高粘性のエンジン潤滑油のみである場合に、施工品質と効率の優れた専用の装置を提供することができる。